(57)【要約】【課題】化粧パネルが支持バー材を介して接続された状態でも、化粧パネルを動かして簡単に目地の位置ずれ調整を行なうことができる化粧パネル取付構造を提供する。【解決手段】建物下地１に複数本の水平な支持バー材２を相互に平行にして取り付け、化粧パネル３を上下の支持バー材２間に挟持させて支持バー材２の上下両側に配設してなる化粧パネル取付構造であり、化粧パネル３は、支持バー材２に沿った方向Ｘに複数枚並設されると共に、支持バー材２に沿った方向Ｘに摺動自在である。【選択図】図１
2007291702.tif 000002
【特許請求の範囲】
【請求項１】
建物下地に複数本の支持バー材を相互に平行にして取り付け、化粧パネルを支持バー材間に挟持させて支持バー材の両側に配設してなる化粧パネル取付構造であって、化粧パネルは、支持バー材に沿った方向に複数枚並設されると共に、支持バー材に沿って摺動自在であることを特徴とする化粧パネル取付構造。
【請求項２】
支持バー材の両側には係止片が突設されており、化粧パネルの支持バー材に沿った端部には凹溝が形成されており、係止片が凹溝に挿入係合されて化粧パネルは支持バー材の両側に配設されていることを特徴とする請求項１記載の化粧パネル取付構造。
【請求項３】
凹溝の深さを変化させるために凹溝の底部分に収容されるスペーサーを備え、スペーサーが収容された凹溝に係止片を挿入係合することにより、係止片の挿入深さが変化して支持バー材の相互間隔寸法が調整されるようになしたことを特徴とする請求項２記載の化粧パネル取付構造。
【発明の詳細な説明】
【技術分野】
【０００１】
本願発明は、室内壁面下地等の建物下地に複数本の支持バー材を相互に平行にして取り付け、内装壁パネル等の化粧パネルを支持バー材間に挟持させて支持バー材の両側に配設してなる化粧パネル取付構造に関するものである。
【背景技術】
【０００２】
従来から、図３に示すように、建物下地１に複数本の支持バー材２（図では一本だけを示している）を相互に平行にして取り付け、化粧パネル３を支持バー材２間に挟持させて支持バー材２の両側に配設してなる化粧パネル取付構造は知られている（特許文献１：特開平６−１０４７９号公報）。この場合、支持バー材２の両側には係止片４が突設されており、化粧パネル３の支持バー材２に沿った端部には凹溝５が形成されており、係止片４が凹溝５に挿入係合されて化粧パネル３は支持バー材２の両側に配設されている。
【０００３】
そして、この化粧パネル取付構造にあっては、支持バー材２が介在する化粧パネル３間の目地部分にはパッキン材１０が充填されており、化粧パネル３は支持バー材２及びパッキン材１０を介して強固且つ密封状態にして接続される。
【特許文献１】特開平６−１０４７９号公報
【発明の開示】
【発明が解決しようとする課題】
【０００４】
しかしながら、上記従来例である化粧パネル取付構造においては、化粧パネル３が支持バー材２及びパッキン材１０を介して接続された後には、化粧パネル３を動かすことができず、支持バー材２を介した化粧パネル３間の目地間隔寸法を調整したり、化粧パネル３を取り外したりすることは困難であった。また、化粧パネル３が支持バー材２に沿った方向に複数枚並設される場合には、隣接する化粧パネル３間の目地ラインが支持バー材２の両側相互で位置ずれした際に、その位置ずれ調整を行ない難いものであった。
【０００５】
本願発明は、上記背景技術に鑑みてなされたものであり、その課題は、化粧パネルが支持バー材を介して接続された状態でも、化粧パネルを動かして簡単に目地の位置ずれ調整を行なうことができる化粧パネル取付構造を提供することである。
【課題を解決するための手段】
【０００６】
上記課題を解決するために、本願請求項１記載の発明は、建物下地に複数本の支持バー材を相互に平行にして取り付け、化粧パネルを支持バー材間に挟持させて支持バー材の両側に配設してなる化粧パネル取付構造であって、化粧パネルは、支持バー材に沿った方向に複数枚並設されると共に、支持バー材に沿って摺動自在であることを特徴としている。
【０００７】
また、本願請求項２記載の発明は、前記化粧パネル取付構造において、支持バー材の両側には係止片が突設されており、化粧パネルの支持バー材に沿った端部には凹溝が形成されており、係止片が凹溝に挿入係合されて化粧パネルは支持バー材の両側に配設されていることを特徴としている。
【０００８】
また、本願請求項３記載の発明は、前記化粧パネル取付構造において、凹溝の深さを変化させるために凹溝の底部分に収容されるスペーサーを備え、スペーサーが収容された凹溝に係止片を挿入係合することにより、係止片の挿入深さが変化して支持バー材の相互間隔寸法が調整されるようになしたことを特徴としている。
【発明の効果】
【０００９】
本願請求項１記載の発明である化粧パネル取付構造においては、化粧パネルが支持バー材に沿った方向に複数枚並設されていて、隣接する化粧パネル間の目地ラインを支持バー材の両側相互間で位置調整する必要があり、この場合に、化粧パネルは支持バー材に沿って摺動自在であるため、化粧パネルを摺動させて支持バー材の両側で相互に化粧パネル間の目地ラインの位置を簡単に調整することができる。
【００１０】
また、本願請求項２記載の発明である化粧パネル取付構造においては、特に、支持バー材の両側に突設される係止片が化粧パネルの支持バー材に沿った端部に形成される凹溝に挿入係合されるため、化粧パネルは支持バー材を介し確実な接続状態で支持されて外れることなくスムーズに摺動される。
【００１１】
また、本願請求項３記載の発明である化粧パネル取付構造においては、特に、スペーサーが収容された凹溝に係止片を挿入係合することにより、係止片の挿入深さが変化して支持バー材の相互間隔寸法が調整されるため、スペーサーを入れたり入れなかったり、或いは、スペーサーの厚さを変更したりして、支持バー材が介在する化粧パネル間の目地巾寸法及び同目地相互間のピッチ寸法（支持バー材の相互間隔寸法）を簡単に調整することができる。
【発明を実施するための最良の形態】
【００１２】
図１、２は、本願の請求項１〜３全てに対応した一実施形態を示している。この実施形態の化粧パネル取付構造は、建物の内装（ここでは壁であるが天井でもよい）として施工されるもので、建物下地１に複数本の支持バー材２を相互に平行にして取り付け、化粧パネル３を支持バー材２間に挟持させて支持バー材２の両側に配設してなる。そして、この化粧パネル取付構造において、化粧パネル３は、支持バー材２に沿った方向Ｘに複数枚並設されると共に、支持バー材２に沿った同方向Ｘに摺動自在である。
【００１３】
更に、この場合、支持バー材２の両側には係止片４が突設されており、化粧パネル３の支持バー材２に沿った端部には凹溝５が形成されており、係止片４が凹溝５に挿入係合されて化粧パネル３は支持バー材２の両側に配設されている。また、凹溝５の深さを変化させるために凹溝５の底部分に収容されるスペーサー６を備え、スペーサー６が収容された凹溝５に係止片４を挿入係合することにより、係止片４の挿入深さが変化して支持バー材２の相互間隔寸法Ｐが調整されるようになしている。
【００１４】
以下、この実施形態の化粧パネル取付構造をより具体的詳細に説明する。この実施形態の化粧パネル取付構造は、建物の内装壁に施工されており、建物下地１はコンパネ等の壁下地材である。支持バー材２はアルミニウム等の金属或いは硬質合成樹脂でなる押出成形された型材であり、建物下地１に水平にして上下相互に等間隔で並設固定されている。この場合、支持バー材２の相互間隔（横目地相互間のピッチ）寸法Ｐは、化粧パネル３の上下巾寸法に略適合されている。
【００１５】
支持バー材２は断面略Ｈ字状で、Ｈ字の片側辺が上下に巾広く形成されており、この巾広側の板状片が建物下地１に固定されている。この場合、支持バー材２の巾広側の板状片には貫通孔７が穿設されており、この貫通孔７に挿通されるねじ釘、打ち込み釘等の固着具８によって、支持バー材２は建物下地１に固定されている。その際、支持バー材２の巾広側の板状片に穿設される貫通孔７が、他方の巾狭側の板状片（上下の係止片４）よりも外側に位置しているため、この巾狭側の板状片は障害とならず、固着具８で支障なく固定することができる。
【００１６】
化粧パネル３は帯板状の木質板材であり、合板の表面に突板や化粧シート等が貼着されたり塗装が施されたものである。なお、化粧パネル３は、異なる様相のものが配列されても、或いは、上下で異なる大きさのものが配設されてもよいものである。ここでは、化粧パネル３が横長状となる向きで施工されており、その上下両端部の端面には凹溝５が全長にわたって形成されている。上下の凹溝５は同形状で同じ深さに形成されており、上記支持バー材２の係止片４と略適合する形状寸法である。
【００１７】
凹溝５内の底部分には、必要に応じてシート状のスペーサー６が収容される。このスペーサー６は凹溝５の深さを変化させるために用いられるものであり、合成樹脂や不織布等でシート状に形成されたものであるが、滑り易い材質であることが好ましい。スペーサー６は、凹溝５の長手方向全長にわたって収容されても、長手方向において部分的に収容されてもよい。また、スペーサー６として厚さの異なるものを数種類用意しておくと、凹溝５の深さを複数段階で変化させることができる。
【００１８】
ここで、この実施形態の化粧パネル取付構造における施工手順を説明する。まず、図２に示すように、床面Ｆに接する状態で最下位置の支持バー材２を建物下地１に取り付け固定する。続いて、この支持バー材２の上側の係止片４を化粧パネル３の下側の凹溝５に挿入係合させて同化粧パネル３を接続し、この化粧パネル３の上側の凹溝５に支持バー材２の下側の係止片４を挿入係合させて同支持バー材２を接続する。そして、上側に接続された支持バー材２を建物下地１に取り付け固定することで、その下側の化粧パネル３も同建物下地１に取り付け固定される。
【００１９】
このように、壁に対して下から上へ支持バー材２と化粧パネル３とを交互に接続し、支持バー材２を建物下地１に順次取り付け固定していくことで内装施工は完了する。この場合、図１に示すように、必要に応じて凹溝５内にスペーサー６が収容され、支持バー材２の相互間隔寸法Ｐは調整される。また、化粧パネル３は支持バー材２に沿って水平方向Ｘに摺動され、横方向に隣接する化粧パネル３間の目地ラインＭの位置が支持バー材２の上下両側間で相互に一直線状に揃うよう調整される。
【００２０】
なお、図２に示すように、最下位置の化粧パネル３の下端部分前面に巾木９を取り付けることで、最下位置の支持バー材２を覆い隠して床面Ｆとの間を体裁良く納めることもできる。また、図１では、横方向に隣接する化粧パネル３間の目地ラインＭの位置が支持バー材２の上下両側間で相互に一直線状に揃うよう調整されているが、上下の目地ラインＭの位置が一定距離だけ横方向にずれるよう調整されて、化粧パネル３がタイル貼り状に配置されてもよい。
【００２１】
したがって、この実施形態の化粧パネル取付構造においては、同じ大きさの化粧パネル３が支持バー材２に沿った方向Ｘに複数枚並設されていて、隣接する化粧パネル３間の目地ラインＭを支持バー材２の上下両側相互間で位置調整する必要があるもので、この場合に、化粧パネル３は支持バー材２に沿った方向Ｘに摺動自在であるため、化粧パネル３を摺動させて支持バー材２の上下両側で相互に化粧パネル３間の目地ラインＭが一直線状に揃うよう簡単に位置合わせ調整することができる。
【００２２】
また、この実施形態の化粧パネル取付構造においては、支持バー材２の上下両側に突設される係止片４が化粧パネル３の支持バー材２に沿った上下両端部に形成される凹溝５に挿入係合されるため、化粧パネル３は支持バー材２を介し確実な接続状態で支持されて外れることなくスムーズに摺動され、目地位置を調整する作業も容易となる。しかも、壁に対して下から上へ支持バー材２と化粧パネル３とを交互に接続し、支持バー材２を建物下地１に順次取り付け固定していくことで、内装施工を簡易に行なうことができ、逆に順次取り外すことで、化粧パネル３の取り替えを簡易に行なうこともできる。
【００２３】
また、この実施形態の化粧パネル取付構造においては、スペーサー６が収容された凹溝５に係止片４を挿入係合することにより、係止片４の挿入深さが変化して支持バー材２の相互間隔寸法Ｐが調整されるため、スペーサー６を入れたり入れなかったり、或いは、スペーサー６の厚さを変更したりして、支持バー材２が介在する化粧パネル３間の目地巾寸法Ｌ及び同目地相互間のピッチ（支持バー材２の相互間隔）寸法Ｐを簡単に調整することができる。
【図面の簡単な説明】
【００２４】
【図１】本願発明の一実施形態である化粧パネル取付構造を示す斜視図。
【図２】同化粧パネル取付構造を示す縦断面図。
【図３】従来例である化粧パネル取付構造を示す縦断面図。
【符号の説明】
【００２５】
１  建物下地
２  支持バー材
３  化粧パネル
４  係止片
５  凹溝
６  スペーサー
Ｐ  ピッチ寸法（支持バー材の相互間隔寸法）
【図１】
2007291702.tif 000003
【図２】
2007291702.tif 000004
【図３】
2007291702.tif 000005